(57)【特許請求の範囲】
【請求項１】
それぞれアドレスを備える複数台の端末器が信号線に接続されるとともに、信号線に接続された伝送制御装置と前記各端末器との間で時分割多重伝送方式により伝送信号が授受され、伝送制御装置においてアドレスの対応関係を設定した関係データを用いていずれかの端末器に設けたスイッチの操作に呼応して他の端末器に接続した負荷を制御する遠隔監視制御システムに用いられ、１個のスイッチの操作により複数個の負荷を一斉に制御する一括制御の関係データを作成するセレクタスイッチであって、前記信号線に接続され端末器として機能する端末機能部と、前記関係データを設定する機能を有し設定した関係データを端末機能部を通して伝送制御装置に転送可能とする操作表示機能部と、端末機能部と操作表示機能部との間でデータを受け渡しするデュアルポートＲＡＭとを備え、操作表示機能部には、負荷に個別に対応付けられている複数個の操作スイッチと、一括制御の対象となる負荷の範囲を操作スイッチで指定することによって関係データを編集する主処理部と、主処理部で編集した関係データを格納するテーブル記憶部と、外部のコンピュータとの間で受信と送信との少なくとも一方のデータ通信が可能なサービス用インタフェースとを備え、前記主処理部ではサービス用インタフェースを通して前記コンピュータから指示される指令を受けて前記コンピュータとの間でデータ通信を行い、前記テーブル記憶部は、伝送制御装置との間で関係データを双方向に転送可能であるとともに前記コンピュータとの間で関係データを双方向に転送可能であることを特徴とする遠隔監視制御システムのセレクタスイッチ。
【請求項２】
前記サービス用インタフェースでは前記コンピュータからの指令によりコンピュータからのデータを受信する状態に移行することを特徴とする請求項１記載の遠隔監視制御システムのセレクタスイッチ。
【請求項３】
前記サービス用インタフェースでは前記コンピュータからの指令によりコンピュータにデータを送信する状態に移行することを特徴とする請求項１記載の遠隔監視制御システムのセレクタスイッチ。
【請求項４】
前記主処理部では前記端末機能部を通して得られた前記負荷の動作状態を、前記コンピュータからの指令によりサービス用インタフェースを通してコンピュータに出力可能であることを特徴とする請求項１または請求項３記載の遠隔監視制御システムのセレクタスイッチ。
【請求項５】
前記主処理部では前記テーブル記憶部に格納された関係データを、前記コンピュータからの指令によりサービス用インタフェースを通してコンピュータに出力可能であることを特徴とする請求項１または請求項３記載の遠隔監視制御システムのセレクタスイッチ。
【請求項６】
前記主処理部では前記デュアルポートＲＡＭの内容を、前記コンピュータからの指令によりサービス用インタフェースを通してコンピュータに出力可能であることを特徴とする請求項１または請求項３記載の遠隔監視制御システムのセレクタスイッチ。
【請求項７】
前記操作表示機能部が電源投入時に内部回路の異常の有無を診断する自己診断機能を備えることを特徴とする請求項１ないし請求項６のいずれか１項に記載の遠隔監視制御システムのセレクタスイッチ。
【請求項８】
前記操作表示機能部がパスワードを設定するパスワード設定機能と、電源投入時にパスワードの入力を促しパスワードが不一致であると操作を受け付けないようにするパスワード確認機能とを備えることを特徴とする請求項１ないし請求項７のいずれか１項に記載の遠隔監視制御システムのセレクタスイッチ。
【発明の詳細な説明】
【０００１】
【発明の属する技術分野】
本発明は、時分割多重伝送方式によってデータを授受することにより遠方の負荷の制御状態を操作することができるようにした遠隔監視制御システムに用いるセレクタスイッチに関するものである。
【０００２】
【従来の技術】
従来から、負荷を遠隔制御するとともに負荷の状態を遠隔監視することを可能とした遠隔監視制御システムとして、図２６に示すように、伝送制御装置１に、２線式の信号線Ｌｓを介して、スイッチＳのオンオフを監視入力とする操作端末器２と負荷としての照明負荷Ｌを制御する制御端末器３とを端末器として接続し、操作端末器２でのスイッチＳの操作に応じて制御端末器３に設けたリレーを介して照明負荷Ｌを制御する構成が知られている。制御端末器３としてはリレーによって照明負荷Ｌをオンオフさせる以外に照明負荷Ｌを調光制御するための調光信号を出力する調光制御用の制御端末器３を用いることもある。調光制御用の制御端末器３を用いる場合には、操作端末器２にも調光制御用のものを用いることになる。
【０００３】
上述した遠隔監視制御システムでは、操作端末器２および制御端末器３にそれぞれチャンネルが設定されており、各操作端末器２には４回路分のスイッチＳを設けることができ、各制御端末器３には４回路分の照明負荷Ｌを接続することが可能になっている。１チャンネル内での４個のスイッチＳまたは４個の照明負荷Ｌは負荷番号によって区別され、伝送制御装置１においてはチャンネルと負荷番号との組合せをアドレスとし、スイッチＳと負荷Ｌとを対応付けるためにアドレスの対応関係を制御テーブルとして備えている。また、対応関係を持たせる操作端末器２と制御端末器３とには同一のチャンネルが設定される。以下に説明するように、伝送制御装置１と操作端末器２および制御端末器３との間で伝送される伝送信号には、アドレスデータと制御データとが含まれ、チャンネルはアドレスデータに含まれるとともに、負荷番号の情報は制御データに含まれるのであるが、以下では説明を簡単にするために、アドレスという用語はチャンネルと負荷番号とを組み合わせたものとし、スイッチＳと照明負荷Ｌとを個別に選択できる情報をアドレスとして扱う。また、アドレスがチャンネルを表すときには、括弧書きでアドレス（チャンネル）という形で記述する。なお、請求項におけるアドレスはチャンネルと負荷番号との組合せを意味する。
【０００４】
基本的な動作としては、操作端末器２にスイッチＳの操作による監視入力が与えられると操作端末器２から伝送制御装置１に監視データが伝送され、伝送制御装置１では監視データを受け取り、伝送制御装置１では監視入力が与えられた操作端末器２と対応付けられている（つまり、同一チャンネルの）制御端末器３に対して監視データに対応する制御データを伝送し、制御端末器３を介して照明負荷Ｌを制御することになる。なお、伝送制御装置１、操作端末器２、制御端末器３はいずれもマイコンを主構成としている。
【０００５】
以下に、遠隔監視制御システムの動作を具体的に説明する。遠隔監視制御システムが起動されると、伝送制御装置１は、信号線Ｌｓに対して、図２７（ａ）（ｂ）のような形式の伝送信号Ｖｓを一定時間ごとに繰り返して送出する。伝送信号Ｖｓは、信号送出開始を示すスタートパルス信号ＳＹ、信号モードを示すモードデータ信号ＭＤ、操作端末器２や制御端末器３を個別に識別するためのアドレス（チャンネル）データを伝送するアドレス（チャンネル）データ信号ＡＤ、負荷を制御するための制御データ（負荷番号の情報を含む）を伝送する制御データ信号ＣＤ、伝送エラーを検出するためのチェックサムデータ信号ＣＳ、操作端末器２や制御端末器３からの返送信号を受信するタイムスロットである信号返送期間ＷＴよりなる複極（±２４Ｖ）の時分割多重信号であり、パルス幅変調によってデータが伝送される。
【０００６】
各操作端末器２および各制御端末器３では、信号線Ｌｓを介して受信した伝送信号Ｖｓのアドレス（チャンネル）データがそれぞれに設定されているアドレス（チャンネル）に一致すると、伝送信号Ｖｓから制御データを取り込むとともに、伝送信号Ｖｓの信号返送期間ＷＴに同期して監視データを電流モードの信号（信号線Ｌｓを適当な低インピーダンスを介して短絡することにより送出される信号）として返送する。ここに、制御端末器３における監視データは照明負荷Ｌの動作状態に関するデータとして用いられる。また、制御データＣＤおよび監視データには負荷番号に相当する情報が含まれる。たとえば、制御データＣＤであれば各負荷番号ごとに異なるビットでオンオフの情報を伝送する。
【０００７】
伝送制御装置１は、常時は伝送信号Ｖｓに含まれるアドレス（チャンネル）データをサイクリックに変化させて操作端末器２および制御端末器３を順次アクセスする常時ポーリングを行う常時ポーリング手段を備える。常時ポーリングの際には、伝送信号Ｖｓに含まれるアドレス（チャンネル）データが一致した操作端末器２または制御端末器３では、伝送信号Ｖｓに含まれる制御データを取り込むことになる。一方、伝送制御装置１には、いずれかの操作端末器２から発生した図２７（ｃ）のような割込信号Ｖｉを受信したときに割込信号を発生した操作端末器２を検出した後、その操作端末器２にアクセスして監視データを返送させる割込ポーリング手段も設けられている。
【０００８】
すなわち、伝送制御装置１では、図２８に示すように、常時は常時ポーリング手段により常時ポーリングを行っている。常時ポーリングでは、アドレス（チャンネル）データをサイクリックに変更した伝送信号Ｖｓを信号線Ｌｓに送出しており、伝送制御装置１から制御端末器３をアクセスして照明負荷Ｌの状態監視を行ったときに返送される状態返信の監視データを受け取ると、制御端末器３に対応する操作端末器２に状態表示の制御データＣＤを伝送してスイッチＳに付設した表示灯（図示せず）を点灯させる。このようにして、各スイッチＳでは照明負荷の最新の動作状態に応じた表示が可能になる。
【０００９】
一方、常時ポーリングの間に、操作端末器２から発生した割込信号Ｖｉを伝送信号Ｖｓのスタートパルス信号ＳＹに同期して検出すると、割込ポーリング手段によって伝送制御装置１からモードデータ信号ＭＤを割込ポーリングモードとした伝送信号Ｖｓを送出する。割込信号Ｖｉを発生した操作端末器２は、割込ポーリングモードの伝送信号Ｖｓのアドレス（チャンネル）データの上位ビットが一致していると、その伝送信号Ｖｓの信号返送期間ＷＴに同期して操作端末器２に設定されているアドレス（チャンネル）データの下位ビットを返信データとして返送する。このようにして伝送制御装置１では割込信号Ｖｉを発生した操作端末器２のアドレス（チャンネル）を獲得する。また、伝送制御装置１における割込ポーリング手段では、割込信号Ｖｉを発生した操作端末器２から下位アドレス（チャンネル）が返送されなければ、上位アドレス（チャンネル）を変更して割込ポーリングモードの伝送信号Ｖｓを再送する。
【００１０】
上述のようにして、割込信号Ｖｉを発生した操作端末器２のアドレス（チャンネル）および監視データを伝送制御装置１が獲得すると、伝送制御装置１では操作端末器２に対して監視データの返送を要求する伝送信号Ｖｓを送出し、操作端末器２は監視入力の内容に応じた監視データを伝送制御装置１に返送する。監視データを受け取った伝送制御装置１は、伝送制御装置１内の制御テーブル（図示せず）に設定されているアドレス（チャンネル）の対応関係によって操作端末器２にあらかじめ対応付けられている制御端末器３に対する制御データを生成し、この制御データを含む伝送信号Ｖｓを信号線Ｌｓに送出して制御端末器３を通して照明負荷Ｌを制御する。
【００１１】
ここに、現状の製品ではチャンネルは６４チャンネルであって、各操作端末器２および制御端末器３では４回路ずつのスイッチＳおよび照明負荷Ｌが接続可能えあるから、合計２５６回路のスイッチＳおよび照明負荷Ｌを設けることができる。
【００１２】
ところで、この種の遠隔監視制御システムでは、スイッチＳと照明負荷Ｌとを一対一に対応させる個別制御と、１つのスイッチＳに複数の照明負荷Ｌを対応付けて１つのスイッチＳの操作で複数の照明負荷Ｌを一括して制御する一括制御との制御が可能である。また、制御端末器３が照明負荷Ｌを調光制御できるように構成されている場合には、スイッチＳの操作によって照明負荷Ｌを調光制御することが可能になっている。一括制御については、複数の照明負荷Ｌを同じ状態に制御するグループ制御と、複数の照明負荷Ｌを各別にあらかじめ設定した制御状態にするパターン制御とが可能である。このように、各スイッチＳは、個別制御、グループ制御、パターン制御、調光制御のいずれかの制御方法で照明負荷Ｌを制御することになる。操作端末器２と制御端末器３とについてアドレスの対応関係は、個別制御では一対一対応になり、グループ制御やパターン制御では一対多対応になる。また、調光制御は個別制御の場合と一括制御の場合とがある。
【００１３】
伝送制御装置１の制御テーブルは、ＥＥＰＲＯＭのような書換可能かつ不揮発性であるメモリにより構成されている。制御テーブルには、監視入力と照明負荷Ｌとを対応付けるための関係データが格納されており、グループ制御やパターン制御のような一括制御に関する関係データは、関係名としてのグループ番号あるいはパターン番号と、制御対象である複数の照明負荷Ｌとの対応関係として設定される。つまり、監視入力に対応するアドレスが関係名になり、一括制御の制御対象となる複数の照明負荷Ｌに対応するアドレスが関係名に対応付けられるのである。ここに、グループ制御のための各関係名（グループ番号）はＧ１，Ｇ２，……という形で付与され、パターン制御のための関係名（パターン番号）はＰ１，Ｐ２，……という形で付与される。したがって、一括制御の際にはこのような関係名をスイッチＳに対応するアドレスに用いることによって、複数の照明負荷Ｌを一括して制御することが可能になる。
【００１４】
ところで、通常の制御では１個のスイッチＳを１個の照明負荷Ｌに対応付けているものであるから、複数個の照明負荷Ｌの制御状態を１箇所で集中的に制御しようとすれば、複数台の操作端末器２を１箇所に配置しなければならず、操作端末器２の設置スペースが大きくなるという問題が生じる。たとえば、オフィス照明では、多数の照明負荷を複数の区画にわけて配置しているのが普通であって、区画ごとに照明負荷の点灯・消灯を制御するのが普通であるから、広いオフィス空間では多数台の操作端末器２が必要になる。
【００１５】
また、多数の照明負荷が配置されているときに、昼間は窓際に配置された照明負荷を消灯させるというような定型的な点灯パターンで複数の照明負荷を一括して制御したい場合がある。このような制御を可能にするには、１個のスイッチＳに複数の照明負荷Ｌを対応付ける作業が必要になる。この種の作業は、通常は一括制御される照明負荷Ｌを各照明負荷Ｌに対応する複数のスイッチＳで選択し、このようにして選択された照明負荷Ｌを１つのスイッチＳに対応付けるという作業になる。したがって、一括して制御しようとする照明負荷Ｌに対応するスイッチＳが離れて配置されていると、照明負荷Ｌの選択作業が面倒になる。
【００１６】
上述のような設置スペースの問題や一括制御の要求を満たすために、この種の遠隔監視制御システムではセレクタスイッチと称する装置が提案されている。セレクタスイッチはそれぞれ異なるアドレスを設定可能な多数個のスイッチＳを備え、１台で複数台の操作端末器として機能させることが可能になっている。また、各スイッチＳには照明負荷Ｌの動作状態を表示する表示灯が対応付けられており、照明負荷Ｌの動作状態もセレクタスイッチによって知ることが可能になっている。
【００１７】
上述のように、セレクタスイッチは多数個のスイッチＳを備えているから、一括制御のための関係データの設定も可能としてあり、セレクタスイッチに設けたスイッチＳによって決めた負荷の状態を適宜のグループ番号ないしパターン番号に対応付ければ関係データを作成することが可能になっている。このようにして作成した関係データは伝送制御装置１に転送されることによって、伝送制御装置１に制御テーブルを設定することができる。
【００１８】
このように、セレクタスイッチを用いることによって、多数個のスイッチの操作を１箇所で行うことが可能であるとともに、照明負荷Ｌの動作状態を集中監視することが可能になり、しかも関係データの作成が容易になるのである。作成された関係データの内容を確認する手段としてはプリンタ出力用のポートを備えており、プリンタを接続して所要の操作を行えばセレクタスイッチに登録されている関係データを印刷することが可能になっている。
【００１９】
【発明が解決しようとする課題】
上述のように、従来から提供されているセレクタスイッチでは、設定した関係データの内容を確認するにはプリンタを接続して紙に印刷するか、あるいは照明負荷Ｌを実際に動作させるしか方法がなく、関係データの編集や蓄積のためにコンピュータ（主としてパーソナルコンピュータ）を利用することができないものである。すなわち、セレクタスイッチとコンピュータとを接続して、コンピュータとの間でデータ通信を行えば、関係データをコンピュータに読み込むとともに蓄積しておき関係データの破損時にセレクタスイッチに書き出すように利用したり、関係データをコンピュータに読み込むとともに負荷制御のシミュレーションをコンピュータ上で行うことにより負荷動作の問題解析に利用したりすることができない。
【００２０】
本発明は上記事由に鑑みて為されたものであり、その目的は、コンピュータとの間でデータ通信を可能とし、しかもデータ通信をコンピュータからの指令で行うことによりコンピュータを操作するだけで手間をかけることなくデータ通信を可能とした遠隔監視制御システムのセレクタスイッチを提供することにある。
【００２１】
【課題を解決するための手段】
請求項１の発明は、それぞれアドレスを備える複数台の端末器が信号線に接続されるとともに、信号線に接続された伝送制御装置と前記各端末器との間で時分割多重伝送方式により伝送信号が授受され、伝送制御装置においてアドレスの対応関係を設定した関係データを用いていずれかの端末器に設けたスイッチの操作に呼応して他の端末器に接続した負荷を制御する遠隔監視制御システムに用いられ、１個のスイッチの操作により複数個の負荷を一斉に制御する一括制御の関係データを作成するセレクタスイッチであって、前記信号線に接続され端末器として機能する端末機能部と、前記関係データを設定する機能を有し設定した関係データを端末機能部を通して伝送制御装置に転送可能とする操作表示機能部と、端末機能部と操作表示機能部との間でデータを受け渡しするデュアルポートＲＡＭとを備え、操作表示機能部には、負荷に個別に対応付けられている複数個の操作スイッチと、一括制御の対象となる負荷の範囲を操作スイッチで指定することによって関係データを設定する主処理部と、主処理部で設定した関係データを格納するテーブル記憶部と、外部のコンピュータとの間で受信と送信との少なくとも一方のデータ通信が可能なサービス用インタフェースとを備え、前記主処理部ではサービス用インタフェースを通して前記コンピュータから指示される指令を受けて前記コンピュータとの間でデータ通信を行い、前記テーブル記憶部は、伝送制御装置との間で関係データを双方向に転送可能であるとともに前記コンピュータとの間で関係データを双方向に転送可能であることを特徴とする。
【００２２】
請求項２の発明は、請求項１の発明において、前記サービス用インタフェースでは前記コンピュータからの指令によりコンピュータからのデータを受信する状態に移行することを特徴とする。
【００２３】
請求項３の発明は、請求項１の発明において、前記サービス用インタフェースでは前記コンピュータからの指令によりコンピュータにデータを送信する状態に移行することを特徴とする。
【００２４】
請求項４の発明は、請求項１または請求項３の発明において、前記主処理部では前記端末機能部を通して得られた前記負荷の動作状態を、前記コンピュータからの指令によりサービス用インタフェースを通してコンピュータに出力可能であることを特徴とする。
【００２５】
請求項５の発明は、請求項１または請求項３の発明において、前記主処理部では前記テーブル記憶部に格納された関係データを、前記コンピュータからの指令によりサービス用インタフェースを通してコンピュータに出力可能であることを特徴とする。
【００２６】
請求項６の発明は、請求項１または請求項３の発明において、前記主処理部では前記デュアルポートＲＡＭの内容を、前記コンピュータからの指令によりサービス用インタフェースを通してコンピュータに出力可能であることを特徴とする。
【００２７】
請求項７の発明は、請求項１ないし請求項６の発明において、前記操作表示機能部が電源投入時に内部回路の異常の有無を診断する自己診断機能を備えることを特徴とする。
【００２８】
請求項８の発明は、請求項１ないし請求項７の発明において、前記操作表示機能部がパスワードを設定するパスワード設定機能と、電源投入時にパスワードの入力を促しパスワードが不一致であると操作を受け付けないようにするパスワード確認機能とを備えることを特徴とする。
【００２９】
【発明の実施の形態】
本実施形態のセレクタスイッチは、図２および図３に示すように、盤に取付可能な取付枠５１に筐体５０が取り付けられている。筐体５０の前面には、セレクタスイッチ部５０ａが設けられ、さらにセレクタスイッチ部５０ａの右方には設定スイッチ部５０ｂが設けられる。
【００３０】
セレクタスイッチ部５０ａには、液晶表示器からなるセレクタ表示器５２が表示部として縦横４個ずつで合計１６個配列され、各セレクタ表示器５２の近傍にはセレクタ表示器５２の下縁に沿ってそれぞれ４個ずつの操作スイッチＫｅが操作部として配列される。また、セレクタスイッチ部５０ａの右下部には上下２個のページ送りスイッチＫａ，Ｋｂが操作部として配置される。
【００３１】
操作スイッチＫｅは操作端末器２におけるスイッチＳに対応しており、個別制御、グループ制御、パターン制御のいずれかのスイッチＳと等価に機能する。操作スイッチＫｅを個別制御のスイッチＳとして機能させるときには、各セレクタ表示器５２は１チャンネルに対応し、各セレクタ表示器５２に対応する各操作スイッチＫｅがそれぞれ負荷番号に対応する。つまり、操作スイッチＫｅを個別制御のスイッチＳとして用いるときには、各操作スイッチＫｅにはアドレスが固定的に割り付けられる。操作スイッチＫｅは（１６×４）個設けられているが、本実施形態におけるセレクタスイッチは２５６回路の負荷に対応可能であって、（６４×４）個分のスイッチＳとして用いなければならないから、ページ送りスイッチＫａ，Ｋｂの操作によって１つの操作スイッチＫｅに対応するアドレスを４個選択することが可能になっている。つまり、セレクタ表示器５２にはページ送りスイッチＫａ，Ｋｂにより選択されたチャンネルが表示され、各セレクタ表示器５２に対応する４個の操作スイッチＫｅにはそれぞれ負荷番号が対応する。いま、アドレスを（チャンネル−負荷番号）の形で表すと、たとえば最上列の左端の操作スイッチＫｅは、ページ送りスイッチＫａ，Ｋｂを操作することによって、（０−１）（１６−１）（３２−１）（４８−１）の４個のアドレスのいずれかに選択的に対応付けられる。グループ制御やパターン制御の際も同様であって、各セレクタ表示器５２にパターン番号あるいはグループ番号が表示され、各操作スイッチＫｅにパターン番号あるいはグループ番号が対応付けられる。また、各セレクタ表示器５２には各操作スイッチＫｅに対応する部位に、操作スイッチＫｅに対応付けられた照明負荷Ｌのオンオフを表示する表示領域も設けられる。
【００３２】
一方、設定スイッチ部５０ｂには、液晶表示器からなるメイン表示器５３が表示部として配置され、メイン表示器５３の右方には上から順にモードキーＫ１１、戻りキーＫ１２、２個のカーソルキーＫ１３，Ｋ１４、実行キーＫ１５の５個の操作部が配列され、メイン表示器５３の下方には左から順に個別選択キーＫ２１、調光選択キーＫ２２、パターン選択キーＫ２３、グループ選択キーＫ２４の４個の操作部が配列され、その下方には１２個の操作部を備えたテンキー部Ｋｄが配列される。
【００３３】
本実施形態では各操作部としてメンブレンスイッチを用いている。メンブレンスイッチは、２枚の合成樹脂シートを対向させるとともに、一方の合成樹脂シートにおいて各操作部となる部位をそれぞれ膨出させ、膨出している部位における両合成樹脂シートの対向面に電極を設けたスイッチである。しかして、各操作部を押操作すれば電極が接触し、各操作部から押力を除去すれば膨出部の復帰力によって電極が離れるものである。
【００３４】
ところで、上述したセレクタスイッチの内部回路は図１に示す構成を有する。すなわち、主として信号線Ｌｓを通して伝送制御装置１との間で伝送信号Ｖｓを授受する機能を有した端末機能部１０と、上述した操作部からの操作入力を受けるとともに上述した表示部の表示内容を制御する表示操作機能部２０と、端末機能部１０と表示操作機能部２０との間でデータを授受するためのデュアルポートＲＡＭ３０とを備える。また、セレクタスイッチの電源は、筐体５０の後面に設けた電源端子Ｔｐに接続される商用電源（ＡＣ１００Ｖ）から供給されており、商用電源はトランスＴにより降圧（たとえば、ＡＣ７Ｖ）された後、電源回路４０によって直流の定電圧（たとえば、ＤＣ５Ｖ）に変換されて内部回路に供給される。
【００３５】
端末機能部１０はマイクロプロセッサを内蔵した専用の集積回路よりなる伝送処理部１１を備え、伝送処理部１１は筐体５０の後面に設けられて信号線Ｌｓに接続される信号端子Ｔｓとの間に送受信回路１２を備える。伝送処理部１１は表示操作機能部２０によってデュアルポートＲＡＭ３０に設定された機能データおよびアドレス（チャンネル）データを用いて伝送制御装置１との間で伝送信号Ｖｓを授受する。機能データは、個別制御、調光制御、パターン制御、グループ制御の４種類の制御方法を区別するデータである。さらに、デュアルポートＲＡＭ３０に格納される機能データには、操作後に一定時間だけ照明負荷Ｌを点灯させたり、操作後に一定時間だけ遅延して照明負荷Ｌを消灯させたりするようなタイマ動作についてのデータも含めることができる。また、アドレス（チャンネル）データは伝送制御装置１との間で伝送信号Ｖｓを授受する際のセレクタスイッチのアドレスとして用いられる。つまり、セレクタスイッチでは、表示操作機能部２０から与えられる機能データおよびアドレス（チャンネル）データに基づいて各種の操作端末器２に相当する動作が可能になっており、デュアルポートＲＡＭ３０は端末機能部１０から見てアドレス設定部として機能することになる。端末機能部１０の上述の動作はフラッシュメモリからなるプログラムメモリ１３に格納されたプログラムに従う。伝送処理部１１を動作させるクロック信号は発振回路１４から出力され、このクロック信号に基づいて生成されたクロック信号ＣＫが表示操作機能部２０にも与えられる。
【００３６】
表示操作機能部２０は、上述したメンブレンスイッチからなる操作部２６、セレクタ表示器５２、メイン表示器５３を備える。操作部２６はスイッチ入力回路２６ａを介して主処理部２５に接続され、セレクタ表示器５２およびメイン表示器５３はそれぞれ液晶ドライバ５２ａ，５３ａを介して主処理部２５に接続される。主処理部２５は、マイクロコンピュータを主構成とし、フラッシュメモリからなるプログラムメモリ２３に格納されたプログラムに従って動作する。伝送処理部１１が使用する上述した機能データやアドレス（チャンネル）データは、操作部２６の操作によって主処理部２１がデュアルポートＲＡＭ３０に格納される。主処理部２５には、ブザー回路２７ａを介して圧電ブザーからなるブザー２７が接続され、主処理部２５を動作させるためのクロック信号を生成する発振回路２８および主処理部２５の動作異常を監視するウォッチドッグタイマ２９も設けられる。ここに、図１において太線はアドレスバス、一点鎖線はデータバスを示す。
【００３７】
ところで、表示操作機能部２０では、セレクタスイッチ部５０ａおよび設定スイッチ部５０ｂに設けた操作部２６を操作することによって、伝送制御装置１の制御テーブルに格納する関係データを作成することが可能になっている。関係データの作成手順については後述するが、関係データの作成には主処理部２５に接続されたＲＡＭからなる作業用メモリ３３が用いられる。また、各操作スイッチＫｅに割り付けたアドレス、機能データ、作業用メモリ３３を用いて作成された関係データなどはフラッシュメモリからなるデータメモリ３４に保存される。つまり、データメモリ３４は伝送制御装置１の制御テーブルに格納される関係データに相当する関係データを格納するためのテーブル記憶部として機能する。また、データメモリ３４には各操作スイッチＫｅに対応付けるアドレス、パターン番号、グループ番号も格納される。つまり、データメモリ３４はアドレス記憶部としても機能する。
【００３８】
さらに、コンピュータのような外部のサービスツールと主処理部２５との間でデータ通信を可能とするサービス用インタフェース３５が設けられており、本実施形態ではサービス用インタフェース３５としてＲＳ２３２Ｃ規格を採用している。すなわち、主処理部２５にはドライバ回路３５ａを介してコネクタ３５ｂが接続され、サービスツールとの間で双方向のデータ通信（つまり送信および受信）が可能になっている。コネクタ３５ｂは筐体５０の後面に露出する形で配置される。
【００３９】
ところで、本実施形態におけるセレクタスイッチは、上述したように、サービス用インタフェース３５を備えており、適宜のプログラムを実行するパーソナルコンピュータからなるサービスツールをサービス用インタフェース３５に接続することによって、セレクタスイッチとサービスツールとの間でデータ伝送が可能になっている。セレクタスイッチとサービスツールとの間でデータの伝送を開始する指示は、基本的にはサービスツールから行うが、セレクタスイッチから行うことも可能になっている。
【００４０】
以下では、セレクタスイッチとサービスツールとの間でのデータの伝送手順について簡単に説明する。セレクタスイッチの基本的な使用目的は、関係データを設定して伝送制御装置１に転送することであって、関係データはデータメモリ３４に格納される。関係データは、伝送制御装置１からデータメモリ３４に読み込み、セレクタスイッチによって編集した後に伝送制御装置１に転送することが可能であり、また伝送制御装置１から関係データを取り込むのではなく、セレクタスイッチによって設定した関係データを伝送制御装置１に転送することも可能である。
【００４１】
さらに、セレクタスイッチは伝送制御装置１との間だけではなく、サービスツールとの間でも関係データを転送することが可能になっている。つまり、サービスツールで作成した関係データをセレクタスイッチに転送してデータメモリ３４に格納したり、データメモリ３４に格納されている関係データをサービスツールに転送して、サービスツールに設けた記憶装置に関係データを保存したり、データメモリ３４から転送された関係データをサービスツールにおいて編集した後にデータメモリ３４に再度書き込むことも可能になっている。
【００４２】
サービスツールからセレクタスイッチに対して関係データを転送する際の手順を図４に示す。この場合、サービスツールからはデータ転送コマンド（指令）ＣＭ１をセレクタスイッチに出力する。セレクタスイッチでは、データ転送コマンドＣＭ１を受け取ると、セレクタスイッチの他の動作を中断して、サービスツールからのデータが受信可能な状態に移行する。セレクタスイッチではデータの受信が可能になると肯定応答ＡＣＫをサービスツールに返送し、肯定応答を受け取ったサービスツールでは、関係データＤＴを１組ずつ転送する。ここに、１組の関係データＤＴとは１個のスイッチの操作によって複数個の負荷を制御する際のスイッチと負荷との１組の対応関係を意味し、スイッチはパターン番号あるいはグループ番号によって「Ｐ２」、「Ｇ５」などの形で表され、負荷は「２−１，２−２，３−３，５−２」というようにアドレスで表される。つまり、１組の関係データはパターン番号あるいはグループ番号とアドレスとの組として表される可変長のデータになる。サービスツールからは１組の関係データＤＴの末尾に終結フラグを付加して関係データＤＴを転送し、セレクタスイッチでは終結フラグを受信すると１組の関係データＤＴを受け取ったと判断して肯定応答ＡＣＫを返送する。サービスツールからセレクタスイッチに転送する関係データＤＴが複数組あるときには、関係データＤＴの転送と肯定応答ＡＣＫとを繰り返す。サービスツールからセレクタスイッチに転送する関係データＤＴがなくなれば、サービスツールからデータ転送完了コマンド（指令）を伝送することによって、セレクタスイッチを元の状態に復帰させ、セレクタスイッチでは元の状態に復帰すれば肯定応答ＡＣＫをサービスツールに返す。ここに、サービスツールからセレクタスイッチへの関係データＤＴの送信に対して肯定応答ＡＣＫが一定時間内に得られないときには再送するなど周知の伝送手順を用いる。
【００４３】
一方、セレクタスイッチからサービスツールへの関係データの転送を要求する際には、図５に示すように、データ要求コマンド（指令）ＣＭ２をサービスツールからセレクタスイッチに対して送出する。データ要求コマンドＣＭ２には、転送を要求する関係データＤＴの組を指定するパターン番号あるいはグループ番号が付加される。セレクタスイッチではデータ要求コマンドＣＭ２を受信すると、要求されたパターン番号あるいはグループ番号に対応する１組の関係データＤＴをサービスツールに返送する。セレクタスイッチからは１組の関係データＤＴの末尾に終結フラグを付加して関係データＤＴを転送し、サービスツールでは終結フラグを受信すると１組の関係データＤＴを受け取ったと判断して肯定応答ＡＣＫを返送する。また、セレクタスイッチではサービスツールからの肯定応答ＡＣＫを受信するとセレクタスイッチに対して要求された関係データＤＴの伝送が終了したことを通知する伝送終了ＥＯＴを返送する。このように、セレクタスイッチからサービスツールへは関係データＤＴを１組ずつ転送し、複数組の関係データをサービスツールに取り込むときには、上述した手順を繰り返す。なお、デュアルポートＲＡＭ３０から負荷の動作状態を一括して取り込む場合にも、サービスツールからセレクタスイッチに対してデータ要求コマンドＣＭ２と同様の指令を与える。ただし、その指令はデュアルポートＲＡＭ３０を対象とするコマンドになる。
【００４４】
ところで、セービスツールは関係データＤＴをセレクタスイッチとの間で授受するほか、セレクタスイッチの動作異常を発見するためにデータメモリ３４の指定されたアドレスの内容を転送させたり、負荷の動作状態を別の場所で監視するためにデュアルポートＲＡＭ３０の指定されたアドレスの内容を転送させたりする機能も備える。
【００４５】
すなわち、セレクタスイッチの開発中あるいは実使用中においてセレクタスイッチに動作の異常が生じたときには、データメモリ３４に関係データが正しく書き込まれているか否かを確認したり、データメモリ３４となるフラッシュメモリが正常か否かを確認したりすることが必要になることがある。このような場合に対応するために、図６のように、サービスツールからセレクタスイッチに与える指令としてメモリモード要求コマンドＣＭ３が用意されている。セレクタスイッチは、メモリモード要求コマンドＣＭ３を受信すると肯定応答ＡＣＫを返送するから、サービスツールでは肯定応答ＡＣＫを受け取ると、データメモリ３４のアドレスを指定してデータメモリ読出コマンドＣＭ４をセレクタスイッチに伝送する。このアドレスは読出を開始する先頭アドレスであって、このアドレスから１２８バイト分のデータを読み出すことを意味する。このようにして、セレクタスイッチは指定されたアドレスのデータＤＴをデータメモリ３４から読み出してサービスツールに転送し、指定されたアドレスのデータの転送が終了すると伝送終了ＥＯＴをサービスツールに通知する。つまり、メモリモード要求コマンドＣＭ３およびデータメモリ読出コマンドＣＭ４は、データ要求コマンドＣＭ２とは転送を要求するデータの範囲が異なるが、ほぼ同様の動作になる。
【００４６】
また、デュアルポートＲＡＭ３０には、伝送処理部１１と操作表示処理部２５とが共有するデータが書き込まれるから、操作表示処理部２５が伝送処理部１１を通して伝送制御装置１に伝送するデータや、伝送処理部１１が伝送制御装置１から受信したデータが書き込まれている。つまり、デュアルポートＲＡＭ３０の内容を読み出せば伝送処理部１１と操作表示処理部２５とがそれぞれデュアルポートＲＡＭ３０に書き込んだ内容が正しいか否かを確認することができ、結果的にセレクタスイッチの動作異常を検出したり、負荷の動作状態を確認したりすることができ、プログラムの修正などに利用することができる。
【００４７】
デュアルポートＲＡＭ３０の内容をサービスツールに転送させるには、データメモリ３４の内容をサービスツールに転送させる場合と同様に、まずメモリモード要求コマンドＣＭ３をセレクタスイッチに与え、セレクタスイッチからの肯定応答ＡＣＫを確認した後、デュアルポートＲＡＭ３０のアドレスを指定してデュアルポートＲＡＭ読出コマンドＣＭ５をセレクタスイッチに伝送する。このアドレスは読出を開始する先頭アドレスであって、このアドレスから１２８バイト分のデータが読み出される。セレクタスイッチでは、デュアルポートＲＡＭ読出コマンドＣＭ５を受け取ると、デュアルポートＲＡＭ３０から指定されたアドレスのデータＤＴを読み出してサービスツールに返送する。
【００４８】
メモリモード要求コマンドＣＭ３は、サービスツールからセレクタスイッチに通常モード要求コマンドＣＭ６が通知されるまでは有効であって、メモリ要求コマンドＣＭ３がセレクタスイッチに与えられた後に通常モード要求コマンドＣＭ６がセレクタスイッチに与えられるまでの間であれば、データメモリ読出コマンドＣＭ４とデュアルポートＲＡＭ読出コマンドＣＭ５とは何度でもサービスツールからセレクタスイッチに与えることができる。サービスツールからセレクタスイッチに通常モード要求コマンドＣＭ６が与えられると、セレクタスイッチは通常の動作に復帰する。
【００４９】
ところで、本実施形態のセレクタスイッチは、電源投入直後の初期化処理時に内部回路の動作を簡便に確認する機能を備える。フラッシュメモリからなるプログラムメモリ１３，２３、データメモリ３４については、製造段階において適宜のキーデータが書き込まれており、初期化処理時にキーデータを正しく読み出せたときにはプログラムメモリ１３，２３、データメモリ３４については正常とみなす。また、作業用メモリ３３については、各アドレスにＦＦと００とのデータの書込および読出を行って、書込と読出とが正しく行われたか否かを確認する。デュアルポートＲＡＭ３０の動作確認には、主処理部２５から伝送処理部１１を動作させるコマンドを与えて伝送処理部１１の応答を確認することによって、デュアルポートＲＡＭ３０および伝送処理部１１の動作を確認する。さらに、液晶表示器からなるセレクタ表示器５２およびメイン表示器５３については全画素を表示（たとえば、黒）にする状態と非表示（たとえば、白）にする状態とを交互に０．５秒間隔で２回繰り返させ、ブザー２７については１秒間鳴動させる。また、操作部２６は入力のないことを確認し、入力があれば電源投入時にすでに操作部２６が操作されているから誤動作の可能性があるものとして後述する報知を行う。
【００５０】
上述のような初期化処理を行う間に、使用者はセレクタ表示器５２およびメイン表示器５３の動作を目視して確認するとともに、ブザー２７の鳴動を確認することでセレクタ表示器５２、メイン表示器５３、ブザー２７の異常の有無を確認する。また、他に異常があるときには、メイン表示器５３に以下の表示を行って使用者に報知する。つまり、プログラムメモリ１３，２３、データメモリ３４の異常に対しては「Ｆ  ＥＲ」、作業用メモリ３３の異常に対しては「ＲＡＭ  ＥＲ」、操作部２６の異常に対しては「ＳＷ  ＥＲ」、伝送処理部１１（またはデュアルポートＲＡＭ３０）の異常に対しては「Ｆ２  ＥＲ」などの表示を行う。このように本実施形態では、電源投入時に各部の異常の有無を診断する自己診断機能を有しており、電源投入時の表示内容によって、設備導入時に電源を投入した時点でセレクタスイッチに異常があればすぐに知ることができ、実使用前にセレクタスイッチの異常を検出して実使用時の異常動作を未然に防止することができる。
【００５１】
さらに、本実施形態では、電源投入時にパスワードを設定することができ、パスワードの設定によってセレクタスイッチが不用意に操作させるのを防止することができるようにしてある。つまり、セレクタスイッチを使用するために電源を投入するたびにパスワードを要求することによって、不用意に操作されることが防止されている。
【００５２】
パスワードの設定には、セレクタスイッチの電源が投入された状態でモードキーＫ１１を３秒間連続して押操作する。この操作によってメイン表示器５３には「パスワード」と表示され、テンキー部Ｋｄによる数字４桁のパスワードの設定が可能になる。パスワードの入力後に実行キーＫ１５を押操作すれば、再度確認のために「もう一度パスワード」と表示され、同じ数字をパスワードとして入力する。パスワードの入力後に電源を切ると、次に電源を投入したときに「パスワードを入力してください」と表示されるから、パスワードを入力することによって通常の使用が可能になる。また、パスワードを解除するには、パスワードが設定されている状態でモードキーＫ１１を３秒間連続して押操作すると、メイン表示器５３に「キャンセルしますか」と表示され、この状態で実行キーＫ１５を押操作すればパスワードが解除される。また、この状態で戻るキーＫ１２を押操作すれば元の常態に戻り、元のパスワードが継続して使用される。
【００５３】
このようにパスワードの設定を可能としたことによって、パスワードの設定方法や解除方法を知らない第三者がセレクタスイッチをいたずらしたり誤操作したりする可能性を低減することができる。
【００５４】
次に、本実施形態に示したセレクタスイッチの操作方法について簡単に説明する。なお、以下の説明は設定スイッチ部５０ｂの基本的な操作に関する部分であり、すべての操作を説明するものではない。
【００５５】
電源が投入された状態であって操作部２６を操作しない状態が所定時間（たとえば１０分間）継続していれば、メイン表示器５３には何も表示されない。この状態から操作部２６が操作されるか、あるいは電源投入直後であればメイン表示器５３には図７に示す画面ａ１が表示される。メイン表示器５３の上辺には「通常」「Ｐ・Ｇ」「特別」の３種類の選択肢が表記されており、モードキーＫ１１の押操作毎にメイン表示器５３に表示される三角形状のマーカが移動するとともに図７に示す３枚の画面ａ１，ｂ１，ｃ１が順次表示される。いずれかの画面ａ１，ｂ１，ｃ１が表示された状態で実行キーＫ１５を押操作すると、マーカにより選択されている機能が選択される。「通常」は操作部２６の操作によって負荷を制御するとともに、負荷の状態をセレクタ表示部５２に表示する機能を意味し、「Ｐ・Ｇ」はパターン制御ないしグループ制御の関係データを作成する機能を意味し、「特別」はその他の付属機能を意味する。
【００５６】
「通常」が選択された状態では、メイン表示器５３に「個別」「調光」「パターン」「グループ」の文字列が表示され、カーソルキーＫ１３，Ｋ１４を操作すると、図８の画面ａ１〜ａ４のように、いずれかの文字列が反転表示される状態になる。この状態で、セレクタスイッチ部５０ａのいずれかの操作部２６を操作すると、各操作スイッチＫｅに対応付けた照明負荷Ｌが制御される。ここに、「個別」「調光」「グループ」では調光制御が可能であって、「個別」を選択した状態で実行キーＫ１５を押操作すれば、図９に示す画面ａ１１に移行し、この状態から操作スイッチＫｅを操作するか、「個別」「調光」「グループ」の文字列が反転表示されている画面ａ１１，ａ１２，ａ１４で操作スイッチＫｅを操作した後に実行キーＫ１５を押操作すれば、画面ａ１２が表示されて、調光レベルの設定が可能になる。画面ａ１２ではカーソルキーＫ１３，Ｋ１４の押操作によって画面ａ１３，ａ１４のように調光レベルが選択可能になる。適宜の調光レベルを設定した状態で操作スイッチＫｅを操作すれば、その調光レベルが照明負荷に反映される。なお、戻るキーＫ１２は、押操作されるとメイン表示器５３の表示内容を１つ上の階層の画面に戻す。
【００５７】
「Ｐ・Ｇ」が選択された状態では、図１０に示すように、カーソルキーＫ１３，Ｋ１４の操作によって「Ｐ・Ｇ編集」「Ｐ・Ｇ入力」「Ｐ・Ｇ出力」のいずれかの文字列が反転表示された画面ｂ１〜ｂ３が表示される。
【００５８】
本実施形態に説明したセレクタスイッチの重要な機能は関係データを作成することであり、「Ｐ・Ｇ編集」を選択すれば関係データを作成することができる。いま、画面ｂ１において実行キーＫ１５が押操作されると、図１１に示す画面ｂ１１に移行し、パターン番号またはグループ番号を入力することが可能になる。ここでパターン選択キーＫ２３を押操作しすると画面ｂ１２に移行し、引き続きテンキー部Ｋｄを押操作して画面ｂ１３，ｂ１４のようにパターン番号（ここではＰ１２）を入力することができる。図１１に示すように、画面ｂ１３においてパターン番号が入力されると、「フェードＸＸ」「オールクリアー」「オールＯＮ」「オールＯＦＦ」「個別選択」の文字列が表示され、「オールクリアー」「オールＯＮ」「オールＯＦＦ」「個別選択」についてはカーソルキーＫ１３，Ｋ１４によって選択可能になる。ここに、「フェードＸＸ」のＸＸには「なし」「３秒」「６秒」「１分」のいずれかの文字列が入る。
【００５９】
「オールクリアー」は、画面ｂ１３に示されているパターン番号に対応する関係データを消去することを意味し、「オールクリアー」の文字列が反転表示された状態で実行キーＫ１５を押操作すると、画面ｂ１５のように「全アドレスをオールクリアーします」と表示されるから、実行キーＫ１５により処理の実行を選択するか、戻るキーＫ１２により処理の不実行を選択すれば、対応する動作の後に前画面ｂ１４に戻る。同様に、「オールＯＮ」「オールＯＦＦ」は、それぞれ全アドレスの負荷をオンにする設定とオフにする設定とを意味し、これらについても画面ｂ１５への移行が可能である。また、「個別選択」はパターン制御の対象となる負荷を操作スイッチＫｅによって個別に選択することを意味する。ここに、パターン制御の関係データを設定する際に、「オールクリアー」「オールＯＮ」「オールＯＦＦ」のいずれかの処理後に、「個別選択」を行うと作業時間を大幅に短縮できる場合がある。
【００６０】
画面ｂ１４において実行キーＫ１５を操作したときには画面ｂ１６に移行して「フェード」の選択が可能になり、カーソルキーＫ１３，Ｋ１４の操作によって「なし」「３秒」「６秒」「１分」のいずれかを選択することができる。つまり、パターン番号により指定されたパターン制御について、フェードなしであればオンオフが瞬時に行われ、フェード時間が指定されているときにはその時間でフェードインとフェードアウトとが行われる。
【００６１】
ところで、画面ｂ１４（画面ｂ１３，ｂ１６も可能）において操作スイッチＫｅを押操作すると、指定されたパターン番号に対応付ける負荷のアドレスを設定することができる。ここに、操作スイッチＫｅの押操作毎に、画面ｂ１７に移行してタイマ制御の内容を設定することができ、また画面ｂ１７はカーソルキーＫ１３，Ｋ１４によって画面ｂ２０と切換可能であり、画面ｂ２０からは調光制御の内容を設定することができる。
【００６２】
いま、画面ｂ１４の表示状態においてアドレス（１５−４）に対応する操作スイッチＫｅを押操作したとすれば、画面ｂ１７に移行してアドレス（１５−４）の負荷についてタイマ制御の設定が可能になる。タイマ制御の指定をする場合には、画面ｂ１７において実行キーＫ１５を押操作すれば、画面ｂ１８，ｂ１９に移行するから、カーソルキーＫ１５によって「タイマークリアー」「一時点灯３０秒」「一時点灯１分」「一時点灯５分」「一時点灯６０分」「一時点灯１２０分」「遅れ消灯３０秒」「遅れ消灯１分」「遅れ消灯５分」の選択が可能になる。タイマ制御について所望の内容を選択し、実行キーＫ１５を押操作すれば画面ｂ１７に移行する。なお、「タイマークリアー」はタイマ制御の解除を意味し、「一時点灯」はスイッチのオン操作から指定された時間だけ照明負荷Ｌが点灯することを意味し、「遅れ消灯」はスイッチのオフ操作から指定された時間だけ遅れて照明負荷Ｌが消灯することを意味する。
【００６３】
一方、画面ｂ１４から画面２０に移行させた状態で実行キーＫ１５を押操作すれば、画面ｂ２１，ｂ２２に移行して調光制御の内容設定が可能になる。画面２１，ｂ２２においてはカーソルキーＫ１３，Ｋ１４によって調光レベルが選択可能であり、適宜の調光レベルを選択した後に実行キーＫ１５を押操作すれば、調光レベルが設定されて画面ｂ２０に戻る。また、後述するように伝送制御装置１には複数品種があり、旧品種では調光レベルを７段階に設定するが、新品種では調光レベルを１２８段階に設定可能になっている。画面ｂ２１，ｂ２２は旧品種に対応する調光レベルの設定であって、新品種の調光レベルに対応させるためには画面ｂ２１，ｂ２２において実行キーＫ１５を長時間（３秒以上）押し続ける。このような操作によって、画面ｂ２３，ｂ２４に移行し、このとき調光レベルが旧品種の値から新品種の値に自動的に変換される。
【００６４】
画面ｂ１７，ｂ２０では戻るキーＫ１２を押操作することにより、上の階層である画面ｂ１４に戻る。また、画面ｂ２１〜ｂ２４では実行キーＫ１５を押操作することにより、選択中の調光レベルが設定された後に画面ｂ２０に戻る。
【００６５】
上述の説明はパターン制御の設定に関するものであるが、グループ制御の設定には図１２に示すように、画面ｂ１１においてグループ選択キーＫ２４を押操作した後にテンキー部Ｋｄによりグループ番号を入力する。図示例では、グループ選択キーＫ２４の押操作により画面ｂ３１に移行し、テンキー部Ｋｄにより「１」「６」を順次入力することによって画面ｂ３２，ｂ３３に移行した状態を示している。グループ番号が指定されると、画面ｂ３２，ｂ３３のように「オールグループ」「オール除外」「個別選択」の文字列が表示され、これらの文字列をカーソルキーＫ１３，Ｋ１４によって選択することが可能になる。「オールグループ」は指定したグループ番号にすべての負荷が対応付けられるように設定する機能であり、「オール除外」指定したグループ番号にどの負荷も対応しないように設定する機能である。「オールグループ」「オール除外」の文字列が反転表示されている状態では実行キーＫ１５を押操作すれば、画面ｂ３４のように「全アドレスをオールグループします」あるいは「全アドレスをオール除外します」のメッセージが表示され、この状態で実行キーＫ１５を押操作すれば処理が実行され、戻るキーＫ１２を押操作すれば処理を行わずに画面ｂ３３（または画面ｂ３２）に戻る。
【００６６】
「個別選択」はグループ番号に対応付ける負荷を操作スイッチＫｅによって１つずつ選択することを意味する。したがって、「オールグループ」「オール除外」の処理後に「個別選択」を行うようにすれば、グループ制御の関係データを短時間で設定できる場合がある。
【００６７】
ところで、画面ｂ３２，ｂ３３の表示状態において操作スイッチＫｅを押操作すれば、画面ｂ３５，ｂ３６に移行してグループ制御におけるタイマ制御の内容を設定することが可能になる。ここに、グループ制御では個々の照明負荷Ｌごとにタイマ制御の内容を変えることができないから、操作スイッチＫｅによりグループ番号に属するすべての照明負荷Ｌをまとめて指定すればよい。設定可能なタイマ制御の内容はパターン制御の場合と同様であって、内容の選択にはカーソルキーＫ１３，Ｋ１４を用いる。
【００６８】
上述のようにして画面ｂ２において「Ｐ・Ｇ編集」を選択して関係データを設定した後には、関係データはデータメモリ３４に格納される。主処理部２１はデータメモリ３４に格納された関係データを伝送制御装置１に転送（出力）するほか、伝送制御装置１から取得（入力）してデータメモリ３４に格納する機能も備える。
【００６９】
まず、伝送制御装置１から関係データを読み込む操作について説明する。この場合には、図１３に示すように、画面ｂ２において「Ｐ・Ｇ入力」を反転表示させた状態で実行キーＫ１５を押操作する。この操作によって画面ｂ４１に移行し、カーソルキーＫ１３，Ｋ１４によって、画面ｂ４１〜ｂ４４に示すように、「アドレス範囲」「全パターン」「全グループ」「全データ」の選択が可能になる。「アドレス範囲」は指定したパターン番号ないしグループ番号の範囲の関係データを伝送制御装置１から取り込むことを意味し、「全パターン」ではすべてのパターン番号の関係データを伝送制御装置１から取り込み、「全グループ」ではすべてのグループ番号の関係データを伝送制御装置１から取り込む。また、「全データ」は伝送制御装置１に設定されているすべての関係データを読み込むことを意味する。
【００７０】
図１４に示すように、画面ｂ４１のように「アドレス範囲」が反転表示されている状態で実行キーＫ１５を押操作すると、画面ｂ５１に移行してパターン番号あるいはグループ番号の入力が可能になる。グループ番号に対する処理はパターン番号に対する処理と読替可能であるから、以下ではパターン番号に対する処理のみ説明する。いま、画面ｂ５２〜ｂ５４に示すように、パターン選択キーＫ２３の押操作に引き続きテンキー部Ｋｄからパターン番号を入力する。このパターン番号は伝送制御装置１から読み込もうとする範囲の先頭のパターン番号を意味する。ここで実行キーＫ１５を押操作すると、画面ｂ５５のように伝送制御装置１から読み込もうとするパターン番号の範囲の末尾とが等しく設定されるから、この画面ｂ５５において実行キーＫ１５を押操作すれば、画面ｂ６０のように先に入力された１つのパターン番号に対応する関係データを読み込むことができる。関係データを読み込んでいる間には、どのパターン番号の関係データを読み込んでいるかが表示され、関係データの読み込みが終了すれば画面ｂ６１のように「入力完了」と表示される。この状態で戻るキーＫ１２を押操作すれば画面ｂ１に移行する。
【００７１】
一方、読み込もうとする範囲の末尾のパターン番号を指定するときには、画面ｂ５５においてパターン選択キーＫ２３およびテンキー部Ｋｄによって末尾のパターン番号を入力する（画面ｂ５６〜ｂ５８）。また、末尾のパターン番号を入力した後にカーソルキーＫ１３によって画面ｂ５９のように先頭のパターン番号の再入力を選択することも可能である。このようにして先頭のパターン番号と末尾のパターン番号との入力が終了した後に実行キーＫ１５を押操作すれば、画面ｂ６２に移行し、以後は画面ｂ６２〜ｂ６４に示すように、指定した範囲のパターン番号に対応する関係データが順次読み込まれる。ここで、読み込み中の関係データに対応するパターン番号が順次表示され、指定したすべての関係データが読み込まれると「入力完了」と表示される。また、関係データの読み込み途中で中止しようとするときには、戻るキーＫ１２を押操作すれば、読み込み中のパターン番号の関係データの読み込みが終了した時点で、そのパターン番号と合わせて「完了」と表示され、関係データの読み込みが終了する。「入力完了」「完了」と表示された状態では戻るキーＫ１２の押操作によって画面ｂ１に移行する。
【００７２】
「全パターン」「全グループ」「全データ」については、いずれを選択してもほぼ同様の表示になるから、「全パターン」についてのみ説明する。図１５に示すように、画面ｂ４２のように「全パターン」が反転表示された状態で実行キーＫ１５が押操作されると、画面ｂ７１に移行してすべてのパターン番号の関係データを読み出してよいかどうかが確認される。画面ｂ７１において実行キーＫ１５を押操作すれば関係データの読み込みが開始され、戻るキーＫ１２が押操作されると画面４２に移行する。「全パターン」が実行されると、画面ｂ７２〜ｂ７５のように各パターン番号の関係データが順次読み込まれ、各パターン番号の関係データを読み込むごとにパターン番号と合わせて「入力中」と表示され、すべての関係データの読み込みが終了すれば、「入力完了」と表示される。また、関係データの読み込み中に戻るキーＫ１２を押操作すれば、読み込み中のパターン番号の関係データの読み込みが終了した時点で画面ｂ７６のように「入力完了」と表示される。「入力完了」「完了」と表示されている状態では戻るキーＫ１２の押操作によって画面ｂ１に移行する。
【００７３】
モードキーＫ１１によって「特別」を選択したときには、図１６に示すように、「初期設定」と「補助機能」とを選択可能な画面ｃ１がメイン表示器５３に表示され、「初期設定」が反転表示された状態で実行キーＫ１５を押操作すると画面ｃ１１に移行して「伝送ユニット」「操作音」「タイマー設定」が選択可能になり、画面ｃ２のように「補助機能」が反転表示された状態で実行キーＫ１５を押操作すると画面ｃ４０に移行して「端末登録Ｐ・Ｇ」「空き端末」「空きＰ・Ｇ」「ＰＣカード」「プリンタ」「メンテナンス」が選択可能になる。画面ｃ１，ｃ２はカーソルキーＫ１３，Ｋ１４により選択可能である。
【００７４】
画面ｃ１１に移行した後は、図１７に示すように、カーソルキーＫ１３，Ｋ１４によって画面ｃ１１，ｃ２１，ｃ３１を選択することができる。画面ｃ１１において実行キーＫ１５が押操作されると、画面ｃ１２に移行して「伝送ユニット」の品種を選択することができる。ここに「伝送ユニット」とは伝送制御装置１を意味し、図示例では画面ｃ１２〜１４をカーソルキーＫ１３，Ｋ１４で選択することにより３種類の伝送制御装置１から選択可能になっている。このように伝送制御装置１の種類を選択可能としているのは、伝送制御装置１の製品ごとに調光レベルの設定段数や関係データの転送手順などの仕様が異なるからである。しかして、画面ｃ１２〜ｃ１４のいずれかにおいて実行キーＫ１５を押操作すれば、画面ｃ１５に移行する。画面ｃ１５では既登録の伝送制御装置１に対応するデータ（たとえば、調光レベルなど）を選択した伝送制御装置１のデータに対応するように変換するか、あるいは選択した伝送制御装置１を除く伝送制御装置１に対応するデータを消去するかを指定することが可能になる。「変換」か「消去」かは画面ｃ１５においてカーソルキーＫ１５により選択した後、実行キーＫ１５を押操作することで決定する。
【００７５】
また、画面ｃ２１において実行キーＫ１５を押操作すれば、図１８のように画面ｃ２２に移行して操作部２６の操作時にブザー２７を鳴動させるか否かを選択することが可能になる。つまり、画面ｃ２２においてカーソルキーＫ１３，Ｋ１４を用いて操作音の「あり」「なし」を選択し、実行キーＫ１５により選択内容を確定する。
【００７６】
画面ｃ３１において実行キーＫ１５を押操作すれば、図１９のように画面ｃ３２に移行してタイマ制御の設定が可能になる。画面ｃ３２〜ｃ３４はカーソルキーＫ１３，Ｋ１４または個別選択キーＫ２１、調光選択キーＫ２２、グループ選択キーＫ２４により選択可能であり、それぞれ個別制御、調光制御、グループ制御においてタイマ制御を付加するか否かを選択する。画面ｃ３２〜ｃ３４のうちのいずれかが表示された状態で所望の操作スイッチＫｅを押操作すれば、画面ｃ３５に移行して操作スイッチＫｅに対応するアドレスにタイマ制御を付与することができる。タイマ制御の内容は画面ｃ３５、ｃ３６において設定可能であって、これらの画面ｃ３５，ｃ３６はカーソルキーＫ１３，Ｋ１４で選択することができる。画面ｃ３５では図１１に示した画面ｂ１８と同様にタイマ制御の無効を選択することができ、画面ｃ３６では図１１に示した画面ｂ１９と同様にタイマ制御の内容を設定することができる。
【００７７】
ところで、「補助機能」の設定のために画面ｃ２から画面ｃ４０に移行させるとカーソルキーＫ１３，Ｋ１４により「端末登録Ｐ・Ｇ」「空き端末」「空きＰ・Ｇ」「ＰＣカード」「プリンタ」「メンテナンス」が選択可能になる。「端末登録Ｐ・Ｇ」は指定した負荷がパターン制御またはグループ制御で用いられているときにパターン番号またはグループ番号を表示させる機能であり、「空き端末」「空きＰ・Ｇ」は、それぞれ未使用のアドレスを表示させる機能、未使用のパターン番号またはグループ番号を表示させる機能を意味する。「ＰＣカード」は図示しないメモリカードに対する関係データの保存または読込を意味し、「プリンタ」は図示しないプリンタポートに接続されるプリンタへの印刷の指示を意味する。「メンテナンス」は伝送制御装置１やセレクタスイッチのプログラムのバージョンの表示、またはセレクタスイッチの動作状態の表示を行う。
【００７８】
図２０に示すように画面ｃ４０で「端末登録Ｐ・Ｇ」が反転表示された状態で実行キーＫ１５を押操作すると画面ｃ４１に移行し、画面ｃ４１からは個別選択キーＫ２１の押操作により画面ｃ４２に移行し、調光選択キーＫ２２の押操作により画面ｃ４３に移行する。調光選択キーＫ２２を押操作した場合の操作手順は個別選択キーＫ２１を押操作した場合の操作手順とほぼ同様であるから、調光選択キーＫ２２を押操作した場合については説明を省略する。
【００７９】
個別選択キーＫ２１を押操作した場合の画面ｃ４２ではテンキー部Ｋｄによって所望のアドレスを入力する（画面ｃ４３〜ｃ４６）。画面ｃ４６において実行キーＫ１５を押操作すれば画面ｃ４７に移行する。画面ｃ４７では画面ｃ４６で選択されたアドレスが属するパターン番号の抽出を指示することができ、画面ｃ４６で選択されたアドレスが属するグループ番号の抽出を指示する場合には画面ｃ４８を選択する。画面ｃ４７と画面ｃ４８とはカーソルキーＫ１３，Ｋ１４を用いて選択する。画面ｃ４７または画面ｃ４８が表示された状態で実行キーＫ１５を押操作すれば、選択したアドレスが属するパターン番号またはグループ番号が一覧表示される。つまり、この処理では関係データを検索することによってアドレスに対応するパターン番号またはグループ番号を抽出する。
【００８０】
また、図２１のように画面ｃ５１が表示された状態で実行キーＫ１５を押操作すれば画面ｃ５２に移行するから、実行キーＫ１５の押操作により端末器のアドレスのうち未使用であるアドレスが抽出され、未使用のアドレスがあれば画面ｃ５２において表示される。この処理は常時ポーリング時において伝送制御装置１から操作端末器に伝送される伝送信号の有無を監視し、伝送信号の得られないアドレスを未使用とみなして表示するのである。
【００８１】
同様にして図２２のように画面ｃ６１において実行キーＫ１５を押操作すれば、画面ｃ６２に移行するから、さらに実行キーＫ１５を押操作して画面ｃ６３に移行させる。画面ｃ６３では未使用のパターン番号の抽出が可能であり、未使用のグループ番号を抽出するときには画面ｃ６３からカーソルキーＫ１３を用いて画面ｃ６４に移行させる。画面ｃ６４から画面ｃ６３に戻るときにはカーソルキーＫ１４を用いる。画面ｃ６３または画面ｃ６４が表示された状態で、実行キーＫ１５を押操作すれば、未使用のパターン番号または未使用のグループ番号が関係データから抽出されて表示される。
【００８２】
図２３に示すように、画面ｃ７１が表示された状態で実行キーＫ１５が押操作されると、画面ｃ７２に移行して「ファイル出力」「データ保存」「データ読込」の選択が可能になる。「ファイル出力」が反転表示された状態で実行キーＫ１５を押操作すれば画面ｃ７３に移行する。メモリカードにはデータメモリ３４に格納されたすべての関係データを１つのファイルとして保存可能であり、画面ｃ７３ではメモリカードの１つのファイルがすでに使用されているか否かが表示される。いま、メモリカードが４ファイルを備えるとすれば、カーソルキーＫ１３，Ｋ１４によってメモリカードのファイルを順次選択して登録の有無を表示することができる。既登録のファイルが選択された状態で実行キーＫ１５を押操作すれば、画面ｃ７４のように、そのファイルに上書きするか否かの確認が行われ、上書きする場合には実行キーＫ１５を押操作すればデータメモリ３４からメモリカードにすべての関係データが書き出される。こうして、メモリカードへのプログラムの書き込みが終了すれば、画面ｃ７５のように「保存完了」と表示される。また、画面ｃ７６のように未登録のファイルを選択して実行キーＫ１５を押操作すれば、上書きの確認を行わずに関係データをメモリカードに書き出して画面ｃ７５に移行する。
【００８３】
画面ｃ７７のように「データ保存」が反転表示された状態で実行キーＫ１５を押操作すれば、データメモリ３４に格納された関係データのうち１つのパターン番号あるいは１つのグループ番号に対応する関係データを１組ずつメモリカードに保存することができ、画面ｃ８２のように「データ読込」が反転表示された状態で実行キーＫ１５を押操作すれば、メモリカードに格納された関係データを１組ずつデータメモリ３４に読み込むことができる。「データ保存」の操作は画面ｃ７８〜ｃ８１のように「ファイル出力」と同様であり、メモリカードのうち空いている領域に関係データを書き込むか、既登録の領域に上書きするかを選択すればよい。また、「データ読込」では画面ｃ８３，ｃ８５によってどの関係データを読み込むかを選択し、実行キーＫ１５を押操作すれば、画面ｃ８４に移行して関係データを読み込んだ後に「読込完了」と表示される。
【００８４】
図２４に画面ｃ９１として示すように「プリンタ」が反転表示した状態で実行キーＫ１５を押操作すれば、図１４に示した画面ｃ４１と同様に「アドレス範囲」「全パターン」「全グループ」「全データ」を選択する画面ｃ９２が表示され、「アドレス範囲」では所要のアドレスを入力すれば画面ｃ９３に移行するから、実行キーＫ１５の押操作によってプリンタへの印刷が開始され、プリンタへの出力が完了すれば画面ｃ９４において「出力完了」と表示される。「アドレス範囲」以外の他の選択肢を選択した場合もほぼ同様の処理になる。
【００８５】
図２５のように画面ｃ９５が表示された状態で実行キーＫ１５を押操作すれば「メンテナンス」が選択され画面ｃ９６に移行する。この画面ｃ９６では「システム状態」が選択されているから実行キーＫ１５を押操作すれば、画面ｃ９９に移行しセレクタスイッチの動作状態に応じて「通常→設定」または「設定→通常」の指示が可能になる。また、画面ｃ９６と画面ｃ９７とはカーソルキーＫ１３，Ｋ１４によって選択可能であり、画面ｃ９７では「バージョン」が選択されているから実行キーＫ１５の押操作によって、伝送制御装置１およびセレクタスイッチを動作させるプログラムのバージョン情報を表示する画面ｃ９８に移行させることができる。画面ｃ９８において上段（図示例では「Ｖ１．０６」）が伝送制御装置１のプログラムのバージョン、下段（図示例では「Ｖ１．００」）がセレクタスイッチのバージョンを表す。
【００８６】
【発明の効果】
請求項１の発明は、サービス用インタフェースを備えるとともにコンピュータからの指令によってデータ通信を行うから、コンピュータとの間でデータ通信を行う際にセレクタスイッチ側では操作が不要であって、コンピュータとの間でデータ通信を行う際に操作が容易である。また、サービス用インタフェースを設けてコンピュータとの間でデータ通信を可能とすることにより、セレクタスイッチのみでは実現できない機能をコンピュータに補助させることによって機能を拡張することが可能になる。また、操作スイッチを用いてテーブル記憶部の関係データを編集することができるほか、伝送制御装置とテーブル記憶部との間で関係データが双方向に転送可能であり、またコンピュータとテーブル記憶部との間でも関係データが双方向に転送可能であるから、伝送制御装置に転送する関係データを操作スイッチと、コンピュータとの双方で編集することが可能である。言い換えると、テーブル記憶部は、コンピュータと伝送制御装置との間で、関係データの転送を仲介する機能を有していることになる。
【００８７】
請求項２の発明は、請求項１の発明において、前記サービス用インタフェースでは前記コンピュータからの指令によりコンピュータからのデータを受信する状態に移行するものであり、セレクタスイッチで用いるデータをコンピュータにより作成してセレクタスイッチに引き渡すことができる。
【００８８】
請求項３の発明は、請求項１の発明において、前記サービス用インタフェースでは前記コンピュータからの指令によりコンピュータにデータを送信する状態に移行するものであり、セレクタスイッチの内部で発生するデータをコンピュータに引き渡すことによってデータの解析・修正・保存などが可能になる。
【００８９】
請求項４の発明は、請求項１または請求項３の発明において、前記主処理部では前記端末機能部を通して得られた前記負荷の動作状態を、前記コンピュータからの指令によりサービス用インタフェースを通してコンピュータに出力可能としたものであり、コンピュータによって負荷の動作状態を監視することができる。その結果、コンピュータ間のデータ通信によって遠方のコンピュータで負荷の動作状態を監視することも可能になる。
【００９０】
請求項５の発明は、請求項１または請求項３の発明において、前記主処理部では前記テーブル記憶部に格納された関係データを、前記コンピュータからの指令によりサービス用インタフェースを通してコンピュータに出力可能としたものであり、関係データの保存や修正をコンピュータで行うことができ、コンピュータで適切なプログラムを動作させれば作業効率を高めることが可能になる。
【００９１】
請求項６の発明は、請求項１または請求項３の発明において、前記主処理部では前記デュアルポートＲＡＭの内容を、前記コンピュータからの指令によりサービス用インタフェースを通してコンピュータに出力可能としたものであり、端末機能部と操作表示機能部との間で授受されるデータをコンピュータで解析することが可能になるから、セレクタスイッチの異常やプログラムの不備などを発見しやすくなる。
【００９２】
請求項７の発明は、請求項１ないし請求項６の発明において、前記操作表示機能部が電源投入時に内部回路の異常の有無を診断する自己診断機能を備えるものであり、自己診断機能によって動作不良時における異常の原因をつきとめやすくなる。
【００９３】
請求項８の発明は、請求項１ないし請求項７の発明において、前記操作表示機能部がパスワードを設定するパスワード設定機能と、電源投入時にパスワードの入力を促しパスワードが不一致であると操作を受け付けないようにするパスワード確認機能とを備えるものであり、パスワードを知らない第三者による操作を制限することができ、いたずらや誤操作を抑制することができる。
【図面の簡単な説明】
【図１】本発明の実施の形態を示すブロック図である。
【図２】同上の正面図である。
【図３】同上の背面図である。
【図４】同上の動作説明図である。
【図５】同上の動作説明図である。
【図６】同上の動作説明図である。
【図７】同上の動作説明図である。
【図８】同上の動作説明図である。
【図９】同上の動作説明図である。
【図１０】同上の動作説明図である。
【図１１】同上の動作説明図である。
【図１２】同上の動作説明図である。
【図１３】同上の動作説明図である。
【図１４】同上の動作説明図である。
【図１５】同上の動作説明図である。
【図１６】同上の動作説明図である。
【図１７】同上の動作説明図である。
【図１８】同上の動作説明図である。
【図１９】同上の動作説明図である。
【図２０】同上の動作説明図である。
【図２１】同上の動作説明図である。
【図２２】同上の動作説明図である。
【図２３】同上の動作説明図である。
【図２４】同上の動作説明図である。
【図２５】同上の動作説明図である。
【図２６】遠隔監視制御システムを示す概略構成図である。
【図２７】同上の動作説明図である。
【図２８】同上の動作説明図である。
【符号の説明】
１  伝送制御装置
２  操作端末器
３  制御端末器
１０  端末機能部
２０  操作表示機能部
２１  主処理部
３０  デュアルポートＲＡＭ
３３  作業用メモリ
３４  データメモリ
３５  サービス用インタフェース
Ｋｅ  操作スイッチ
Ｌ  照明負荷
Ｓ  スイッチ
【図１】
0003719170.tif 000002
【図２】
0003719170.tif 000003
【図３】
0003719170.tif 000004
【図４】
0003719170.tif 000005
【図５】
0003719170.tif 000006
【図６】
0003719170.tif 000007
【図７】
0003719170.tif 000008
【図８】
0003719170.tif 000009
【図９】
0003719170.tif 000010
【図１０】
0003719170.tif 000011
【図１１】
0003719170.tif 000012
【図１２】
0003719170.tif 000013
【図１３】
0003719170.tif 000014
【図１４】
0003719170.tif 000015
【図１５】
0003719170.tif 000016
【図１６】
0003719170.tif 000017
【図１７】
0003719170.tif 000018
【図１８】
0003719170.tif 000019
【図１９】
0003719170.tif 000020
【図２０】
0003719170.tif 000021
【図２１】
0003719170.tif 000022
【図２２】
0003719170.tif 000023
【図２３】
0003719170.tif 000024
【図２４】
0003719170.tif 000025
【図２５】
0003719170.tif 000026
【図２６】
0003719170.tif 000027
【図２７】
0003719170.tif 000028
【図２８】
0003719170.tif 000029